(57)【特許請求の範囲】
【請求項１】
消弧性ガスを封入したタンク内に設けられた固定コンタクトと、前記タンク内に設けられ、前記固定コンタクトと接離可能で、開極時に前記固定コンタクトとの間にアークが発生する可動コンタクトと、一端が前記固定コンタクトと電気的に接続され、他端が前記固定コンタクトの先端部近傍で且つ前記可動コンタクトと接触しない位置に延在し、前記アークを前記固定コンタクトから受け取るアークコンタクトと、このアークコンタクトに設けられ、アークを回転駆動する磁界を発生する第１の永久磁石とを備え、前記固定コンタクトが円筒状であり、この固定コンタクトの内側に設けられ、前記固定コンタクトと電気的に接続され、アークを前記固定コンタクトから前記アークコンタクトへ中継する中継アークコンタクトとを備えたことを特徴とする開閉器。
【請求項２】
中継アークコンタクトに第２の永久磁石を備え、この第２の永久磁石は第１の永久磁石によるアークコンタクトの先端近傍部分における磁界を強める向きに着磁されたことを特徴とする請求項１記載の開閉器。
【請求項３】
可動コンタクトに第３の永久磁石を備え、この第３の永久磁石は前記可動コンタクトの開離途中に、第１の永久磁石によるアークコンタクトの先端近傍部分における磁界を強める向きに着磁されたことを特徴とする請求項１に記載の開閉器。
【請求項４】
第１の永久磁石は、可動コンタクトの駆動方向に着磁されたことを特徴とする請求項１乃至３のいずれか１項に記載の開閉器。
【請求項５】
第１の永久磁石は、可動コンタクトの駆動方向に直交する方向に着磁されたことを特徴とする請求項１乃至３のいずれか１項に記載の開閉器。
【請求項６】
アークコンタクトのアークが走行する表面近傍の第１の永久磁石の面を断熱性部材で被ったことを特徴とする請求項１乃至５のいずれか１項に記載の開閉器。
【発明の詳細な説明】
【技術分野】
【０００１】
この発明は、消弧性ガスが封入された開閉器に関し、特に開極アークが磁石により磁気駆動させることにより、消弧される開閉器に関するものである。
【背景技術】
【０００２】
従来の開閉器は、消弧性ガス中で開極アークを回転させて遮断するために、アークコンタクト内の永久磁石とシールドに取り付けた磁性体を備えていた。このような開閉器は例えば、特許文献１に示されている。
【０００３】
図１１は、従来の開閉器の開離途中を示す消弧室の断面図である。消弧室は消弧性ガスを封入したタンク（図示せず）内に配置される。２１は電極２２を設置する土台、２３は電極２２に接触し円筒状に配置され、分割された部材で構成された固定コンタクト、２４は固定コンタクト２３の内側に設けられ、縦断面フィンガー形状を有した円筒状のアークコンタクトで、このアークコンタクト２４と固定コンタクト２３とで固定接点が形成される。２５は操作機構（図示せず）によって可動する固定接点と接離可能な円筒形の可動コンタクト、２６はアークコンタクト２４の内側に配置され、可動コンタクト２５の駆動方向と略並行方向（以後、軸方向という）に着磁され、上方がＳ極、下方がＮ極である永久磁石、２７は固定コンタクト２３の周囲に配置され、シールド２８に取り付けた磁性体、２９は開極時に発生するアークである。永久磁石２６と磁性体２７はほぼ平行配置され磁路が形成され、永久磁石２６と磁性体２７間に形成される磁束は、永久磁石２６単体だけで形成される磁束に比べて可動コンタクト２５の駆動方向に直交する方向（以後、径方向という）に傾けられる。これによりアーク２９を交差する磁束は、永久磁石２６単体だけの場合に比べて、径方向成分が多くなる。
【０００４】
次に従来の開閉器の動作について説明する。閉極状態で交流電流が固定接点から可動コンタクト２５の向きに流れている場合に、可動コンタクト２５が操作機構（図示せず）によって固定コンタクト２３と開離し、さらにアークコンタクト２４と可動コンタクト２５が開離すると、アークコンタクト２４と可動コンタクト２５間にアーク２９が発生する。ここで、アーク２９に作用する永久磁石２６が発生する磁束密度のベクトルは図中の接線方向のベクトルであるが、図中のベクトルＢｚで示す可動コンタクト２５の駆動方向成分とベクトルＢｒで示す径方向成分に分けて考える。このときアーク２９には上向きに流れる電流ｉと、永久磁石２６が発生する磁束密度の径方向成分Ｂｒとの相互作用により、駆動力Ｆがフレミングの左手の法則による向き、即ち、図１１の紙面手前から裏側に作用する。永久磁石２６による径方向磁界はアークコンタクト２４の上面の円周上のそれぞれの場所で放射状に発生しており、この駆動力Ｆが継続的にアーク２９に作用して、アーク２９は周方向（開閉器の上面から見た場合、右回り）に駆動され回転する。アーク２９は消弧性ガス中を回転して、相対的に消弧性ガスが吹き付けられることで、冷却され、電流ゼロ点を経たところで消滅し、電流は完全に遮断される。
【０００５】
【特許文献１】特開２００２−３３４６３６号報（図２）
【発明の開示】
【発明が解決しようとする課題】
【０００６】
上記のような従来の開閉器では、フィンガー状のアークコンタクト２４は可動コンタクト２５と確実に接触させるように弾性を有している。この弾性機能を働かせるために、アークコンタクト２４のフィンガー部が撓むことが必要であり、フィンガー部の撓みを阻害する硬さを有する永久磁石２６をアークコンタクト２４のアーク走行面近傍に近づけることはできなかった。このためアークコンタクト２４側のアーク２９の足近傍では、径方向の磁界強度が十分でなかった。磁性体２７を固定コンタクト２３の外部に配置し、磁束を径方向に傾けるとアークを回転駆動させる径方向磁界を強めることができるが、磁性体２７を通る磁束密度は磁石から距離が長くなって弱くなるので、磁性体２７による径方向磁界の補強には限界があった。
【０００７】
この発明は、上述のような課題を解決するためになされたもので、アークに永久磁石を近づけて、走行するアークと交差する径方向磁界を強めることで、消弧性ガス中の回転駆動力を強めることができ、消弧性能を向上させる開閉器を得ることを目的とする。
【課題を解決するための手段】
【０００８】
この発明にかかる開閉器は、開極時に固定コンタクトと可動コンタクト間に発生するアークの近傍に、可動コンタクトと接触しないアークコンタクトを配置し、ここに固定コンタクトからアークを移す。そして、アークコンタクトの先端部にアークを回転駆動する磁界を発生する永久磁石を備えたものである。
【発明の効果】
【０００９】
この発明は、可動コンタクトと接触せず撓むことがないアークコンタクトに永久磁石を設けるので、永久磁石をアークに近づけて配置できる。これにより、走行するアークと交差する径方向磁界を強めることで、消弧性ガス中の回転駆動力を強めることができ、消弧性能を向上させることができる。
【発明を実施するための最良の形態】
【００１０】
実施の形態１．
図１は、この発明の実施の形態１における開閉器の開離途中を示す消弧室の断面図である。消弧室は消弧性ガスを封入したタンク（図示せず）内に配置される。図において、１は容器、２は容器内に設けられた円筒状の固定コンタクト、３は操作機構（図示せず）によって可動する固定コンタクト２と接離可能な円筒状の可動コンタクト、４は固定コンタクト２の内側に設けられ、固定コンタクト２と電気的に接続された円柱状の中継アークコンタクト、５は固定コンタクト２と電気的に接続され、一端が容器１の側面に固着され、他端が中継アークコンタクト４及び固定コンタクト２の先端部近傍に延在したドーナツ円板状で、可動コンタクト３に接触せず撓むことがないアークコンタクト、６は開極時に発生するアーク、７はアークコンタクト５の内部に他端近傍でこの他端を囲むように配置され、軸方向に着磁された第１の永久磁石、８は第１の永久磁石７から発生する磁束である。ここで、第１の永久磁石７の着磁方向は、図１において上方がＮ極、下方がＳ極の場合を示す。
【００１１】
固定コンタクト２は、複数の切り込みが円筒の上方から途中まで形成されている。この切り込みで分離された部分は弾性体の役割を果たし、閉極時の固定コンタクト２と可動コンタクト３との接触力を強めることができる。固定コンタクト２は、通常銅に銀メッキしたものが使われる。また中継アークコンタクト４及びアークコンタクト５は耐弧メタル（銅─タングステン合金）が使われる。この耐弧メタルは非磁性体であり、第１の永久磁石７の磁束はアークコンタクト５を通過して外部の空間にも形成される。アークコンタクト５の先端部上方では、曲面処理がされる。これにより曲面処理がされない角部での電解集中を緩和し、アーク６が消弧されやすくできる。
【００１２】
図２は第１の永久磁石の取り付け例を示す図である。図において、９はテフロン（米国デュポン社の登録商標）等の断熱性材料で形成された断熱性部材であり、高温のアークの熱から第１の永久磁石を保護し、第１の永久磁石の熱減磁を防ぐために用いられる。尚、断熱性材料は非磁性体であって、断熱性があればよい。例えば、ポリイミドやポリアリレート等のエンジニアリングプラスティックである。
【００１３】
次に動作について説明する。閉極状態で交流電流が固定コンタクト２から可動コンタクト３の向きに流れている場合に、可動コンタクト３が操作機構（図示せず）によって開極すると、両コンタクト間にアーク６が発生する。開離の進行によって、固定コンタクト２側のアークの足は、可動コンタクト３に近くなる中継アークコンタクト４に転移する。更に開離が進むと、可動コンタクト３に近くなるアークコンタクト５に転移する。このようにアークの足は移動し、図１で示すような可動コンタクト３とアークコンタクト５間にアーク６が形成される。ここで、アーク６に作用する第１の永久磁石７が発生する磁束密度のベクトルは図中の接線方向のベクトルであるが、図中のベクトルＢｚで示す可動コンタクト３の駆動方向成分とベクトルＢｒで示す径方向成分に分けて考える。このときアーク６には上向きに流れる電流ｉと、第１の永久磁石７が発生する磁束密度の径方向成分Ｂｒとの相互作用により、駆動力Ｆがフレミングの左手の法則による向き、即ち、図１の紙面裏側から手前に作用する。第１の永久磁石７による径方向磁界はアークコンタクト上のそれぞれの場所で放射状に発生しており、この駆動力Ｆが継続的にアーク６に作用して、アーク６は周方向（開閉器の上面から見た場合、右回り）に駆動され回転する。
【００１４】
第１の永久磁石７は、可動コンタクト３と接触せず、従って撓むことがないアークコンタクト５中で、アーク６が走行するアークコンタクト５の表面に近づけて配置できるので、第１の永久磁石７が発生する磁束密度は従来に比べて強くなっている。第１の永久磁石７が発生する磁束密度は磁石から距離が長くなるにしたがって弱くなるので、アークコンタクト５の先端近傍では強い磁束密度がアーク６に継続的に与えられ、強い駆動力が継続的に作用するので、アークコンタクト５側のアークの足は、可動コンタクト３側のアークの足より大きく回転し、アーク６は引き伸ばされる。このように、アーク６は消弧性ガス中を回転して、相対的に消弧性ガスが吹き付けられることで、冷却され、電流ゼロ点を経たところで消滅し、電流は完全に遮断される。
【００１５】
上述の作用は、第１の永久磁石７をアーク６が走行するアークコンタクト５の表面にさらに近く配置することで、アーク６にさらに強い駆動力を与えることができるので、消弧性能を一層向上させることができる。
【００１６】
したがって、従来に比べ、撓むことがないアークコンタクト上で走行するアークに永久磁石を近づけて、走行するアークと交差する径方向磁界を強めることで、消弧性ガス中の回転駆動力を強めることができ、消弧性能を向上させることができる。
【００１７】
尚、第１の永久磁石７の着磁方向を図１において上方がＮ極、下方がＳ極の場合で説明したが、上方がＳ極、下方がＮ極の場合であっても、アーク６に作用する力の向きが変わるだけで、同様の効果を得ることができる。
【００１８】
また、第１の永久磁石７の取り付け例として図２を用いて説明したが、他の例として図３や図４に示すようなものであってもよい。図２は、断熱性部材で第１の永久磁石７の一部を被うようにした例であったが、図３は断熱性部材で永久磁石７全体を被った例である。こうすることで、アーク６から離れた部分であっても、アークコンタクトの下部等から回り込む熱を遮ることができるので、より効果的に第１の永久磁石の熱減磁を防ぐことができる。熱減磁に対する耐性が向上することで、永久磁石をさらにアーク６に近づけることができるので、より一層消弧性能を向上させることができる。また、図４は第１の永久磁石７を、断熱性部材９を介在させてアークコンタクト５の内面に設置し、断熱性材料で形成されたカバー１０で固定した例である。こうすることで、第１の永久磁石７の取り付けを容易にすることができる。以降で述べる他の実施の形態においても、これらの取り付け例は適用できる。
【００１９】
また、図１では、固定コンタクト２は円筒状のものを示したが、図５に示すような他の形状のものであってもよい。図５において、図１と同一の記号は同一或いは相当するものを示す。２は円形上に配置され、分割された固定コンタクトであり、固定コンタクト２の下部を容器１に設置された電極１１に接触させ、バンド１２で締めた構造である。固定コンタクト２は、可動コンタクト３と接離可能であり、閉極時の接触力が十分確保されるように構成されたものであれば構わない。以降で述べる他の実施の形態においてもこの固定コンタクト構成は適用できる。
【００２０】
また、中継アークコンタクト４を備えた例で説明したが、中継アークコンタクト４がなくても構わない。固定コンタクト２とアークコンタクト５との距離を短縮させることで、固定コンタクト２からアークコンタクト５への転移を即座に行えるようにすることで、固定コンタクト３のアークによる損傷を抑えながら、上述と同様の効果を得ることができる。
【００２１】
実施の形態２．
図６は、この発明の実施の形態２における開閉器の開離途中を示す消弧室の断面図である。図において、図１と同一の記号は同一或いは相当するものであり、第１の永久磁石７の着磁方向は径方向外向きがＮ極、径方向内向きがＳ極の場合を示す。実施の形態１とは第１の永久磁石７の着磁方向が異なる。
【００２２】
実施の形態１では、第１の永久磁石７が軸方向に着磁されていたので、アークコンタクト５の先端部近傍から離れて、第１の永久磁石７の真上近傍では、軸方向磁界が主となり、径方向磁界が弱まる部分があった。この領域にアーク６の足がある場合には、アーク６に作用する駆動力が弱まってしまうことがあった。本実施の形態では、第１の永久磁石７の着磁方向が径方向であり、アークコンタクトの先端近傍から離れた範囲まで径方向磁界を形成できるので、アーク６の足が径方向遠方にずれても継続して駆動力を与えることができる利点がある。動作は実施の形態１と同様であり、アーク６には駆動力が継続的に作用して、アーク６は周方向（開閉器の上面から見た場合、右回り）に駆動され回転する。
【００２３】
したがって、実施の形態１に比べ、第１の永久磁石７が発生する磁界の径方向成分を強めることができ、消弧性能を一層向上させることができる。
【００２４】
尚、第１の永久磁石７の着磁方向は、図６において径方向外向きがＮ極、径方向内向きがＳ極の場合で説明したが、径方向外向きがＳ極、径方向内向きがＮ極の場合であっても、アーク６に作用する力の向きが変わるだけで、同様の効果を得ることができる。また、中継アークコンタクト４を備えた例で説明したが、実施の形態１と同様に中継アークコンタクト４がなくても構わない。
【００２５】
実施の形態３．
上述の実施の形態では、アーク６に駆動力を与える永久磁石がアークコンタクト５に配置されている場合で説明したが、この実施の形態は中継アークコンタクト４にも永久磁石を配置して径方向磁界を強めたものである。中継アークコンタクト４に配置する永久磁石は、単独では十分な径方向磁界を発生できないが、アークコンタクト５の第１の永久磁石の磁界を補強する程度の磁界は十分に発生できるので、消弧性能をより一層向上させることができる。以下に説明する。
【００２６】
図７は、この発明の実施の形態３における開閉器の開離途中を示す消弧室の断面図である。図において、図１と同一の記号は同一或いは相当するものであり、１３は中継アークコンタクト４に配置された第２の永久磁石である。第１の永久磁石７から発生する磁束８及び第２の永久磁石１３から発生する磁束１４はそれぞれ単独に存在する場合の磁束である。実際は２つの永久磁石の磁束が合成されたものとなるが、説明の都合上、このように記載した。ここで、第１の永久磁石７の着磁方向は上方がＮ極、下方がＳ極であり、第２の永久磁石の着磁方向は上方がＳ極、下方がＮ極の場合を示す。
【００２７】
図７において、アーク６と交差する磁束８及び磁束１４の径方向成分はいずれも内向きとなっている。したがって、上述のように第１の永久磁石７及び第２の永久磁石１３の着磁方向を適切に選択することで、アークコンタクト５の先端部近傍で径方向磁界を強めることができる。動作は実施の形態１と同様であり、アーク６には駆動力が継続的に作用して、アーク６は周方向（開閉器の上面から見た場合、右回り）に駆動され回転する。
【００２８】
したがって、第１の永久磁石７及び第２の永久磁石１３によって、アークコンタクト５の先端部近傍で径方向磁界を強めることで、実施の形態１よりも強い駆動力をアーク６に与えることができ、消弧性能をより一層向上させることができる。
【００２９】
尚、第１の永久磁石７及び第２の永久磁石１３の着磁方向は、図７において第１の永久磁石７の着磁方向は上方がＮ極、下方がＳ極であり、第２の永久磁石の着磁方向は上方がＳ極、下方がＮ極の場合で説明したが、それぞれを逆向きにしたものであっても、アーク６に作用する力の向きが変わるだけで、同様の効果を得ることができる。また、中継アークコンタクト上にアーク６の足が留まる時間は短いが、第２の永久磁石１３を断熱性部材で被うことで、第２の永久磁石１３の熱減磁を防ぐことができる。
【００３０】
実施の形態４．
実施の形態３では、第１の永久磁石７の着磁方向として、軸方向に着磁された場合を示したが、径方向に着磁された場合でも、同様の効果を得ることができるので、以下に説明する。
【００３１】
図８は、この発明の実施の形態４における開閉器の開離途中を示す消弧室の断面図である。図において、図７と同一の記号は同一或いは相当するものである。第１の永久磁石７から発生する磁束８及び第２の永久磁石１３から発生する磁束１４はそれぞれ単独に存在する場合の磁束である。実際は２つの永久磁石の磁束が合成されたものとなるが、説明の都合上、このように記載した。ここで、第１の永久磁石７の着磁方向は径方向外向きがＮ極、径方向内向きがＳ極であり、第２の永久磁石の着磁方向は上方がＳ極、下方がＮ極の場合を示す。尚、図８は実施の形態２を示す図６における中継アークコンタクト４に第２の永久磁石１３が配置されたものに相当する。
【００３２】
図８において、アーク６と交差する磁束８及び磁束１４の径方向成分はいずれも内向きとなっている。したがって、上述のように第１の永久磁石７及び第２の永久磁石１３の着磁方向を適切に選択することで、アークコンタクト５の先端部近傍で径方向磁界を強めることができる。動作は実施の形態２と同様であり、アーク６には駆動力が継続的に作用して、アーク６は周方向（開閉器の上面から見た場合、右回り）に駆動され回転する。
【００３３】
したがって、第１の永久磁石７及び第２の永久磁石１３によって、アークコンタクト５の先端部近傍で径方向磁界を強めることで、実施の形態２よりも強い駆動力をアーク６に与えことができ、消弧性能をより一層向上させることができる。
【００３４】
尚、第１の永久磁石７及び第２の永久磁石１３の着磁方向は、図８において第１の永久磁石７の着磁方向は径方向外向きがＮ極、径方向内向きがＳ極であり、第２の永久磁石の着磁方向は上方がＳ極、下方がＮ極の場合で説明したが、それぞれを逆向きにしたものであっても、アーク６に作用する力の向きが変わるだけで、同様の効果を得ることができる。
【００３５】
実施の形態５．
実施の形態３では、アーク６に駆動力を与える永久磁石が中継アークコンタクト４及びアークコンタクト５に配置されている場合で説明したが、永久磁石を中継アークコンタクト４に配置する代わりに、固定コンタクト２と接触しても撓むことがないように強化した先端部を設けた可動コンタクト３に配置することで、実施の形態１に比べ、消弧性能を一層向上させることができるので、以下に説明する。
【００３６】
図９は、この発明の実施の形態５における開閉器の開離途中を示す消弧室の断面図である。図において、図７と同一の記号は同一或いは相当するものであり、１５は可動コンタクト３の先端部分であり、固定コンタクト２と接触しても撓むことがない、非磁性体の硬い金属で形成される。可動コンタクト３が所定の最終位置になる閉極状態では、可動コンタクト３の本体部と固定コンタクト２が接触するので、閉極時の抵抗が増大することがない。１６は可動コンタクトの先端部１５に配置された第３の永久磁石である。第３の永久磁石１６は円筒状の可動コンタクトの先端部１５内に配置されるので、径方向の厚さに制限されるが、薄いものであれば配置が可能である。第１の永久磁石７から発生する磁束８及び第３の永久磁石１６から発生する磁束１７はそれぞれ単独に存在する場合の磁束である。実際は２つの永久磁石の磁束が合成されたものとなるが、説明の都合上、そのように記載した。ここで、第１の永久磁石７の着磁方向は上方がＮ極、下方がＳ極であり、第３の永久磁石の着磁方向も上方がＮ極、下方がＳ極の場合を示す。尚、図９は実施の形態１を示す図１における可動コンタクト３に第３の永久磁石１６が配置されたものに相当する。
【００３７】
次に動作について説明する。実施の形態１と同様の動作で、アーク６の固定コンタクト２側の足はアークコンタクト５に転移する。可動コンタクト３とアークコンタクト５の距離が短い開離状態では、第１の永久磁石７から第３の永久磁石１６に直接向かう磁束が多くなっており、軸方向磁界が主となる場合がある。しかし、即座に開離が進むことで、図９に示したように径方向磁界が主となる。アーク６と交差する磁束８及び磁束１７の径方向成分はいずれも内向きとなっているので、アークコンタクト５の先端部近傍で径方向磁界を強めることができる。また、開離がさらに進むと、アークコンタクト５の先端部近傍での径方向磁界は、２つの永久磁石で強められていた状態から、第１の永久磁石７からの径方向磁界が主となるが、可動コンタクト側では第３の永久磁石１６からの径方向磁界はアーク６に作用し続ける。したがって、第１及び第３の永久磁石による全体として強められた径方向磁界によって、駆動力が継続的にアーク６に作用して、アーク６は周方向（開閉器の上面から見た場合、右回り）に駆動され回転する。
【００３８】
上述のように、第１の永久磁石７の磁束８及び第３の永久磁石１６の磁束１７をアーク６に交差させ、径方向磁界を強めることで、実施の形態１よりも強い駆動力をアーク６に与えことができ、消弧性能をより一層向上させることができる。
【００３９】
尚、第１の永久磁石７及び第３の永久磁石１６の着磁方向は、図９において第１の永久磁石７の着磁方向は上方がＮ極、下方がＳ極であり、第３の永久磁石の着磁方向は上方がＮ極、下方がＳ極の場合で説明したが、それぞれを逆向きにしたものであっても、アーク６に作用する力の向きが変わるだけで、同様の効果を得ることができる。また、中継アークコンタクト４を備えた例で説明したが、実施の形態１で述べたように中継アークコンタクト４がなくても構わない。また、第３の永久磁石１６を断熱性部材で被うことで、第３の永久磁石１６の熱減磁を防ぐことができる。
【００４０】
実施の形態６．
実施の形態５では、第１の永久磁石７の着磁方向として、軸方向に着磁された場合で説明したが、径方向に着磁された場合でも、同様の効果を得ることができるので、以下に説明する。
【００４１】
図１０は、この発明の実施の形態６における開閉器の開離途中を示す消弧室の断面図である。図において、図９と同一の記号は同一或いは相当するものである。第１の永久磁石７から発生する磁束８及び第３の永久磁石１６から発生する磁束１７はそれぞれ単独に存在する場合の磁束である。実際は２つの永久磁石の磁束が合成されたものとなるが、説明の都合上、そのように記載した。ここで、第１の永久磁石７の着磁方向は径方向外向きがＮ極、径方向内向きがＳ極であり、第３の永久磁石の着磁方向は上方がＮ極、下方がＳ極の場合を示す。尚、図１０は実施の形態２を示す図６における可動コンタクト３の先端部に第３の永久磁石１６が配置されたものに相当する。
【００４２】
次に動作について説明する。実施の形態２と同様の動作で、アーク６の固定コンタクト２側の足はアークコンタクト５に転移する。可動コンタクト３とアークコンタクト５の距離が短く、第１の永久磁石７と第３の永久磁石１６がほぼ水平になっている場合に、それぞれの永久磁石のＳ極からの磁束同士が反発しており、軸方向磁界が主である。しかし、即座に開離が進むことで、図１０に示すように径方向磁界が主となる。アーク６と交差する磁束８及び磁束１７の径方向成分はいずれも内向きとなっているので、アークコンタクト５の先端部近傍で径方向磁界を強めることができる。また、開離がさらに進むと、アークコンタクト５の先端部近傍での径方向磁界は、２つの永久磁石で強められていた状態から、第１の永久磁石７からの径方向磁界が主となるが、可動コンタクト３側では第３の永久磁石１６からの径方向磁界はアーク６に作用し続ける。したがって、第１及び第３の永久磁石による全体として強められた径方向磁界によって、駆動力が継続的にアーク６に作用して、アーク６は周方向（開閉器の上面から見た場合、右回り）に駆動され回転する。
【００４３】
上述のように、第１の永久磁石７の磁束８及び第３の永久磁石１６の磁束１７をアーク６に交差させ、径方向磁界を強めることで、実施の形態２よりも強い駆動力をアーク６に与えことができ、消弧性能をより一層向上させることができる。
【００４４】
尚、第１の永久磁石７及び第３の永久磁石１６の着磁方向は、図１０において第１の永久磁石７の着磁方向は径方向外向きがＮ極、径方向内向きがＳ極であり、第３の永久磁石の着磁方向は上方がＮ極、下方がＳ極の場合で説明したが、それぞれを逆向きしたものであっても、アーク６に作用する力の向きが変わるだけで、同様の効果を得ることができる。また、中継アークコンタクト４を備えた例で説明したが、実施の形態１と同様に中継アークコンタクト４がなくても構わない。また、第３の永久磁石１６を断熱性部材で被うことで、第３の永久磁石１６の熱減磁を防ぐことができる。
【００４５】
尚、上述の実施の形態１乃至６で示した、固定コンタクト２、中継アークコンタクト４、アークコンタクト５、第１の永久磁石７、第２の永久磁石１３及び第３の永久磁石１６の形状は一例であって、他の形状であっても、第１の永久磁石７、第２の永久磁石１３及び第３の永久磁石１６が分割されたものであっても、それぞれの実施例で述べた効果が得られる。また、上述の実施の形態１乃至６では交流電流の場合で説明したが、直流電流の場合にも適用できる。
【図面の簡単な説明】
【００４６】
【図１】この発明の実施の形態１における開閉器の消弧室の断面図である。
【図２】この発明の第１の永久磁石の第１の取り付け例を示す図である。
【図３】この発明の第１の永久磁石の第２の取り付け例を示す図である。
【図４】この発明の第１の永久磁石の第３の取り付け例を示す図である。
【図５】この発明の実施の形態１における他の開閉器の消弧室の断面図である。
【図６】この発明の実施の形態２における開閉器の消弧室の断面図である。
【図７】この発明の実施の形態３における開閉器の消弧室の断面図である。
【図８】この発明の実施の形態４における開閉器の消弧室の断面図である。
【図９】この発明の実施の形態５における開閉器の消弧室の断面図である。
【図１０】この発明の実施の形態６における開閉器の消弧室の断面図である。
【図１１】従来の開閉器の消弧室の断面図である。
【符号の説明】
【００４７】
２  固定コンタクト、３  可動コンタクト、４  中継アークコンタクト、５  アークコンタクト、６  アーク、７  第１の永久磁石、９  断熱性部材、１３  第２の永久磁石、１６  第３の永久磁石。
【図１】
0004770596.tif 000002
【図２】
0004770596.tif 000003
【図３】
0004770596.tif 000004
【図４】
0004770596.tif 000005
【図５】
0004770596.tif 000006
【図６】
0004770596.tif 000007
【図７】
0004770596.tif 000008
【図８】
0004770596.tif 000009
【図９】
0004770596.tif 000010
【図１０】
0004770596.tif 000011
【図１１】
0004770596.tif 000012